(57)【要約】【課題】通風ダクトの通気抵抗を維持することにより、想定した性能を継続して発揮することができる自動販売機を提供すること。【解決手段】送風ユニット６から商品を収納した商品収納ラック７を経由して、床板４０に配設した送風ユニット６に空気を供給する通風ダクト３０を備えた自動販売機において、通風ダクト３０を、床板４０から起立した背面パネル４１と、該背面パネル４１に取り付けたダクトパネル４２とにより構成したので、断熱材が変形した場合でも通風ダクト６の通気断面積が増減することがないので、通気抵抗も変動することがなく、想定した性能を継続して発揮できる。【選択図】        図６
2006338349.tif 000002
【特許請求の範囲】
【請求項１】
送風ユニットから商品を収納した商品収納ラックを経由して、床板に配設した送風ユニットに空気を供給する通風ダクトを備えた自動販売機において、
前記通風ダクトを、床板から起立した背面パネルと、該背面パネルに取り付けたダクトパネルとにより構成したことを特徴とする自動販売機。
【請求項２】
商品収容庫に床板に取り付けることにより、前記通風ダクトを商品収容庫に固定したことを特徴とする請求項１に記載の自動販売機。
【請求項３】
送風ユニットに向けて通気断面積が増大する態様で、前記通風ダクトを構成したことを特徴とする請求項１または２に記載の自動販売機。
【請求項４】
前記通風ダクトが、奥行き寸法が２０ｍｍ以下で、幅寸法が１５０ｍｍ以上の矩形形状の通気断面を有することを特徴とする請求項１〜３のいずれか一つに記載の自動販売機。
【発明の詳細な説明】
【技術分野】
【０００１】
本発明は、冷蔵または温蔵した缶入り飲料、ペットボトル飲料等の商品を販売する自動販売機に関するものである。
【背景技術】
【０００２】
従来から冷蔵または温蔵した缶入り飲料、ペットボトル飲料等の商品を販売する自動販売機は、断熱筐体を成す本体キャビネットの収容庫に冷却／加熱ユニットと送風ファンとを設置するとともに、庫内を循環した空気を効率的に冷却／加熱ユニットに供給する通風ダクトを構成するダクトパネルを庫内背面に沿って設置していた。
【０００３】
このダクトパネルを本体キャビネットに簡単に取り付けるために、ダクトパネルの上部中央に係止爪、下部中央にネジ座を設けるとともに、庫内背面を構成する背面パネルに、係止爪およびネジ座とそれぞれ対向するように係止穴およびネジ穴を形成し、係止穴に係止爪を係止した後、ネジ座とネジ穴とをネジ止めした自動販売機が提案されている（たとえば、特許文献１参照）。
【０００４】
ところで、背面パネル等を設けることなく、断熱材が収容庫の内部に露出した、いわゆる内箱レスと称される自動販売機が提案されている。この内箱レスの自動販売機は、背面パネルを有しないので、背面パネルに係止穴、ネジ穴を設けることもできない。そこで、ダクトパネルの中央部にいわゆる返しを有する鋭利な係止爪を設け、庫内背面をなす断熱材にこの係止爪を突き刺すことにより、ダクトパネルを取り付けていた。そして、断熱材とダクトパネルとにより構成した通風ダクトにより、空気を冷却／加熱ユニットに供給していた。
【０００５】
【特許文献１】特開平０９−２９３１６９号公報
【発明の開示】
【発明が解決しようとする課題】
【０００６】
しかしながら、内箱レスの自動販売機をなす断熱材が真空断熱材の場合には、係止爪を突き刺すことにより、断熱材の断熱性能が低下するという問題が生じていた。
【０００７】
また、庫内背面をなす断熱材にダクトパネルを取り付ける場合、特に収容庫の奥行きが深い場合には、手が届きにくいために、正確な取り付けが困難となり、ダクトパネルと断熱材との間に隙間が生じうる。さらに、庫内を温蔵または冷蔵する熱の影響により、あるいは、経年変化により、庫内背面をなす断熱材が変形し、ダクトパネルと断熱材との間に隙間が生じうる。
【０００８】
たとえば、図１４−１が従来のダクトパネルＰが断熱材に正常に取り付いた状態を示す正面図とすると、ダクトパネルＰの取り付け不良により、図１４−２に示すように、従来のダクトパネルＰが断熱材に傾いて取り付き、ダクトパネルＰと床板Ｆとの間に隙間が空いた状態となりうる。
【０００９】
また、図１５−１が従来のダクトパネルＰが断熱材Ｄに正常に取り付いた状態を示す側面図とすると、ダクトパネルＰの取り付け不良、あるいは断熱材Ｄの変形により、図１５−２に示すように、従来のダクトパネルＰの上下方向上側において断熱材Ｄとの間に隙間が空いた状態、図１５−３に示すように、従来のダクトパネルＰの上下方向下側において断熱材Ｄとの間に隙間が空いた状態となりうる。また、取り付け方によっては、図１５−４に示すように、従来のダクトパネルＤの下縁と床板Ｆとの間に隙間が空いた状態となりうる。さらに、上下方向において庫内側が凸となるように断熱材Ｄが変形した場合には、図１５−５に示すように、ダクトパネルＰの上側と下側とに隙間が生じ、上下方向において庫内側が凹となるように断熱材Ｄが変形した場合には、図１５−６に示すように、ダクトパネルＰの中央に隙間が生じることになる。
【００１０】
また、図１６−１が従来のダクトパネルＰが断熱材Ｄに正常に取り付けた状態を示す平面図とすると、ダクトパネルＰの取り付け不良、あるいは断熱材Ｄの変形により、図１６−２に示すように、ダクトパネルＰの側部において断熱材Ｄとの間に隙間が生じうる。さらに、隙間が生じない場合であっても、左右方向において庫内側が凸となるように断熱材Ｄが変形した場合には、図１６−３に示すように、通気断面積が減少し、左右方向において庫内側が凹となるように断熱材Ｄが変形した場合には、図１６−４に示すように、通気断面積が増大することになる。
【００１１】
このように通風ダクトを構成するダクトパネルＰと断熱材Ｄとの間に隙間が生じた場合、あるいは、通風ダクトの通気断面積が増減した場合には、通風ダクトの通気抵抗が変動し、自動販売機は想定した性能を発揮できなかった。
【００１２】
本発明は、上記実情に鑑みて、通風ダクトの通気抵抗を維持することにより、想定した性能を継続して発揮することができる自動販売機を提供することを目的とする。
【課題を解決するための手段】
【００１３】
上記の目的を達成するために、本発明の請求項１にかかる自動販売機は、送風ユニットから商品を収納した商品収納ラックを経由して、床板に配設した送風ユニットに空気を供給する通風ダクトを備えた自動販売機において、前記通風ダクトを、床板から起立した背面パネルと、該背面パネルに取り付けたダクトパネルとにより構成したことを特徴とする。
【００１４】
また、本発明の請求項２にかかる自動販売機は、上記請求項１において、商品収容庫に床板に取り付けることにより、前記通風ダクトを商品収容庫に固定したことを特徴とする。
【００１５】
また、本発明の請求項３にかかる自動販売機は、上記請求項１または２において、送風ユニットに向けて通気断面積が増大する態様で、前記通風ダクトを構成したことを特徴とする。
【００１６】
また、本発明の請求項４にかかる自動販売機は、請求項１〜３のいずれか一つにおいて、前記通風ダクトが、奥行き寸法が２０ｍｍ以下で、幅寸法が１５０ｍｍ以上の矩形形状の通気断面を有することを特徴とする。
【発明の効果】
【００１７】
本発明にかかる自動販売機は、通風ダクトを、床板から起立した背面パネルと、該背面パネルに取り付けたダクトパネルとにより構成したので、断熱材が変形した場合でも通風ダクトの通気断面積が増減することがないので、通気抵抗も変動することがなく、想定した性能を継続して発揮できる。
【００１８】
また、本発明にかかる自動販売機は、商品収容庫に床板を取り付けることにより、通風ダクトを商品収容庫に固定したので、商品収容庫の内部で通風ダクトを組み立てる必要がなく、効率的な組立作業を実現できる。
【００１９】
また、本発明にかかる自動販売機は、送風ユニットに向けて通気断面積が増大する態様で通風ダクトを構成したので、送風ユニットの手前で通気抵抗を低減でき、送風ユニットに効率的に空気を供給できる。
【発明を実施するための最良の形態】
【００２０】
以下に添付図面を参照して、本発明にかかる自動販売機の好適な実施例を詳細に説明する。なお、この実施例によりこの発明が限定されるものではない。
【実施例１】
【００２１】
まず、本発明の実施例１にかかる自動販売機について説明する。本発明の実施例１にかかる自動販売機は、冷凍機にスターリング冷凍機を採用したものである。
【００２２】
図１〜図３はそれぞれ本発明の実施例１にかかる自動販売機を示したものであり、図１は外扉２と内扉３を取り外した状態を示す自動販売機の正面図、図２は図１に示した自動販売機の側断面図、図３は図１に示した自動販売機の要部を拡大した拡大正面断面図である。これら図１〜図３において、自動販売機は、本体キャビネット１を備えている。
【００２３】
本体キャビネット１は、複数の鋼板を適宜組み合わせることによって構成したもので、前面が開口した直方状の断熱筐体である。この本体キャビネット１には、図２に示すように、前面に外扉２と内扉３とが設けてあり、その内部に、たとえば、二つの断熱仕切板４により仕切られた三つの独立した商品収容庫５ａ，５ｂ，５ｃが左右に並んだ態様で配設してある。より詳細に説明すると、外扉２は、本体キャビネット１の前面開口を閉塞するものであり、内扉３は、商品収容庫５ａ，５ｂ，５ｃの前面を閉塞するものである。商品収容庫５ａ，５ｂ，５ｃは、缶入り飲料やペットボトル入り飲料等の商品を所望の温度に保持した状態で収容するものである。
【００２４】
上記本体キャビネット１の内部において商品収容庫５ａ，５ｂ，５ｃの外部となる機械室９には、スターリング冷凍機１０と、冷却器２１と、放熱装置（放熱ユニット）２２とが配設してある。スターリング冷凍機１０は、機械室９の内部に横置きに載置してあり、稼動することにより冷熱を発生する冷却端１１と、高熱を発生する放熱端１２とを有している。
【００２５】
冷却器２１は、機械室９の内部に配設してあり、スターリング冷凍機１０の冷却端１１からの冷熱を熱交換ダクト２３まで伝達して、該熱交換ダクト２３の内部の空気を冷却するものである。この冷却器２１について詳細に説明すると次のようなものである。
【００２６】
冷却器２１は、熱伝達手段としてのヒートパイプを有している。ヒートパイプは、その内部に冷媒を封入してあり、凝縮部２１１と、蒸発部２１２と、液体流路２１３と、蒸気流路２１４とを備えて構成してある。ここで、冷媒としては、例えば二酸化炭素のように常温では気体であって、スターリング冷凍機１０の冷却端１１からの冷熱では凍らないもの（不凍冷媒）が用いられている。
【００２７】
凝縮部２１１は、スターリング冷凍機１０の冷却端１１に熱的に接続してある。この凝縮部２１１では、冷却端１１から得た冷熱により冷媒が凝縮されて凝縮液になる。蒸発部２１２は、凝縮部２１１から所定の距離だけ離隔した位置に配設してある。この蒸発部２１２では、外部から得た熱により冷媒が気化されて蒸気になる。換言すると、蒸発部２１２の周辺領域は、冷媒が気化することによって熱が奪われることになり、冷却される。液体流路２１３は、凝縮部２１１と蒸発部２１２とを繋ぐ流路である。この液体流路２１３は、凝縮部２１１で凝縮された冷媒を、該凝縮部２１１から蒸発部２１２まで移動させるためのものである。蒸気流路２１４は、上記液体流路２１３とは別個に、凝縮部２１１と蒸発部２１２とを繋ぐ流路である。この蒸気流路２１４は、蒸発部２１２で気化された冷媒を、該蒸発部２１２から凝縮部２１１まで移動させるためのものである。液体流路２１３と蒸気流路２１４との配置関係は、蒸気流路２１４が液体流路２１３の上方に位置するようになっている。これは、蒸気流路２１４を通る冷媒の密度の方が、液体流路２１３を通る冷媒の密度よりも小さいためである。このようなヒートパイプは、上述のように、液体流路２１３と蒸気流路２１４とが別個に設けられており、ループ型サーモサイフォン式ヒートパイプと呼ばれるものである。
【００２８】
放熱装置２２は、機械室９の内部に配設してあり、スターリング冷凍機１０の放熱端１２からの高熱を自動販売機の外部に放出するためのものであり、高熱移送手段と、放熱用送風ファン２２６とを有している。
【００２９】
高熱移送手段は、その内部に冷媒を封入してあり、蒸発部２２１と、凝縮部２２２と、蒸気流路２２３と、液体流路２２４とを備えて構成してある。ここに、冷媒としては、例えば水のように常温では液体であって、スターリング冷凍機１０の放熱端１２からの高熱で気化されるものが用いられる。
【００３０】
蒸発部２２１は、スターリング冷凍機１０の放熱端１２に熱的に接続してある。この蒸発部２２１では、放熱端１２からの高熱により冷媒が気化されて蒸気になる。凝縮部２２２は、蒸発部２２１から所定の距離だけ離隔した位置に配設してある。この凝縮部２２２では、外部から得た熱により冷媒が凝縮されて凝縮液になる。換言すると、凝縮部２２２の周辺領域は、冷媒が凝縮することによって熱が与えられることになり、加熱される。蒸気流路２２３は、蒸発部２２１と凝縮部２２２とを繋ぐ流路である。この蒸気流路２２３は、蒸発部２２１で気化された冷媒を、該蒸発部２２１から凝縮部２２２まで移動させるためのものである。液体流路２２４は、上記蒸気流路２２３とは別個に、蒸発部２２１と凝縮部２２２とを繋ぐ流路である。この液体流路２２４は、凝縮部２２２で凝縮された冷媒を、該凝縮部２２２から蒸発部２２１まで移動させるためのものである。これら高熱移送手段には、冷媒を循環させるための動力となるポンプ２２５が所定の個所に配設してある。
【００３１】
放熱用送風ファン２２６は、凝縮部２２２の周辺領域における所定の個所に配設してある。この放熱用送風ファン２２６は、凝縮部２２２で冷媒が凝縮することによって加熱された空気を自動販売機の外部に放出するためのものである。
【００３２】
熱交換ダクト２３は、冷却器２１の蒸発部２１２を包囲する態様で配設した管路であり、その内部を流れる空気を冷却するものである。より詳細に説明すると、熱交換ダクト２３は、蒸発部２１２で冷媒が気化することにより、その内部を流れる空気を冷却するものである。このように熱交換ダクト２３で冷却された空気は、送気ダクト２４を経由して商品収容庫５ａ，５ｂ，５ｃの内部まで移動することになる。
【００３３】
商品収容庫５ａ，５ｂ，５ｃには、それぞれ、送風ユニット６、商品収納ラック７、搬出機構８が設けてある。送風ユニット６は、冷やされた空気、または温められた空気を循環させるものであって、通風ダクト３０、ヒータ３１、送風ファン３２、搬出シュータ３３を有している。
【００３４】
通風ダクト３０は、各商品収容庫５ａ，５ｂ，５ｃの底壁をなす床板４０を有している。床板４０は、ヒータ３１、送風ファン３２を取り付ける部分であり、図４に示すように、断熱仕切板４と本体キャビネット１との間に隙間が空かないように、側部が上方に延在するように、折り曲げてある。また、床板４０の手前側端部は、搬出シュータ３３の手前側端部が取り付けるために、上方に延在するように、折り曲げてある。
【００３５】
また、床板４０には、一対の通気口４０ａ，４０ｂが形成してある。一方の通気口４０ａは、上述した熱交換ダクト２３に商品収容庫５ａ，５ｂ，５ｃの庫内の空気を供給するものであり、他方の通気口４０ｂは送気ダクト２４から商品収容庫５ａ，５ｂ，５ｃの庫内に空気を供給するものである。これら一対の通気口４０ａ，４０ｂは、ともに矩形形状を有している。これらの通気口４０ａ，４０ｂは、図示せぬシャッターにより閉塞可能であり、商品収容庫５ａ，５ｂ，５ｃに収容した商品を冷却（冷蔵）する場合にこれらの通気口４０ａ，４０ｂは閉塞され、商品収容庫に収容した商品を加熱（温蔵）する場合にこれらの通気口４０ａ，４０ｂは開放される。
【００３６】
さらに、床板４０の後縁から背面パネル４１が起立するように、背面パネル４１が床板４０と一体に設けてある。背面パネル４１は、各商品収容庫５ａ，５ｂ，５ｃの背壁に沿って配設されるものである。背面パネル４１の下側側部は、手前側に延在するように折り曲げてあり、上側側部は、手前側に延在するように折り曲げた後、さらに、内側に延在するように折り曲げてある。
【００３７】
このように形成した背面パネル４１には、２本のネジにより、図５に示すようなダクトパネル４２が取り付けてある。ダクトパネル４２は、背面パネル４１と組み合わせることにより、通風ダクト３０を構成するものである（図６参照）。ダクトパネル４２の上側側部は、背面パネル４１の上側側部を収容するように奥側に折り曲げてある。そして、このダクトパネル４２の上側正面部には、開口４２ａが形成してある。この開口４２ａは、各商品収容庫５ａ，５ｂ，５ｃの空気が吸入する部分となる。このように構成した通風ダクト３０は、奥行き寸法が２０ｍｍ以下で、幅寸法が１５０ｍｍ以上の細長い矩形形状の通気断面を有することになる。また、ダクトパネル４２は、奥側から手前側に向けて前下がり傾斜となるように折り曲げて、通気断面積を拡げた後、下方に延在させてある。そして、この下方に延在した部分には、開口４２ｂが形成してある。この開口４２ｂは、送風ユニット６に空気を供給する部分となる。さらに、前下がり傾斜となる部分のやや上方には、一対のシュータ取付スリット４２ｃが形成してある。シュータ取付スリット４２ｃは、矩形のスリットであり、搬出シュータ３３の奥側の一部が差し込み可能である。
【００３８】
このように構成した通風ダクト３０の床板４０には、図６に示すように、奥側から手前側に、シャッターダクト４３、ヒータ３１、送風ファン３２が順番に取り付けてある。シャッターダクト４３は、上述した図示せぬシャッターを内蔵したものであり、ダクトパネル４２の開口４２ｂとの間に隙間が生じないように取り付けてある。
【００３９】
ヒータ３１は、商品収容庫５ａ，５ｂ，５ｃに収容する商品を加熱（温蔵）する場合に稼働させるものであり、図示せぬシャッターにより、上述した通気口４０ａ，４０ｂは閉塞される。一方、商品収容庫５ａ，５ｂ，５ｃに収容する商品を冷却（冷蔵）する場合には、ヒータ３１を稼働することなく、図示せぬシャッターにより、上述した通気口４０ａ，４０ｂは開放される。
【００４０】
送風ファン３２は、商品収容庫５ａ，５ｂ，５ｃの庫内の空気を循環させるものであり、送風ファン３２が稼働すると、商品収容庫５ａ，５ｂ，５ｃの庫内を冷却（冷蔵）する場合には、商品収納ラック７、通風ダクト３０、通気口４０ａ、熱交換ダクト２３、送気ダクト２４、通気口４０ｂに順番に空気が循環することになる。一方、商品収容庫５ａ，５ｂ，５ｃの庫内を加熱（温蔵）する場合には、商品収納ラック７、通風ダクト３０、ヒータ３１の順番に空気が循環することになる。
【００４１】
このように構成した送風ユニット６の上部には、奥側から手前側に向けて漸次低くなるように傾斜した搬出シュータ３３が取り付けてある。より詳細に説明すると、ダクトパネル４２に形成したシュータ取付スリット４２ｃに搬出シュータ３３の奥側の一部を差し込むとともに、搬出シュータ３３の手前側を床板４０の手前側端部にネジ止めすることにより、搬出シュータ３３が取り付けてある。
【００４２】
搬出シュータ３３は、搬出機構８から搬出された商品を外扉２に設けた商品取出口２ａに導くものであり、商品収納ラック７に収納した商品に、加熱,または冷却した空気を供給可能とする通気孔（図示せず）が形成してある。
【００４３】
商品収納ラック７は、缶入り飲料やペットボトル入り飲料等の商品を横倒し姿勢とし、上下方向に沿って並ぶ態様で収納するものである。搬出機構８は、商品収納ラック７の下部に設けてあり、この商品収納ラック７に収納された商品群のうち最下部にある商品を一つずつ搬出するものである。そして、搬出機構８から搬出された商品は、上述した搬出シュータ３３上を転動し、外扉２に設けた商品取出口２ａに導かれる。
【００４４】
上述した自動販売機の送風ファン３２を稼働すると、熱交換ダクト２３で冷やされた空気、あるいはヒータ３１で温められた空気は、商品収納ラック７の下方部から通風ダクト３０の開口に向けて循環することになる。
【００４５】
このように構成した自動販売機の通風ダクト３０は、予め、背面パネル４１にダクトパネル４２を取り付けた後に、各商品収容庫５ａ，５ｂ，５ｃに取り付ける。このように、予め、背面パネル４１にダクトパネル４２を取り付けた後に、商品収容庫５ａ，５ｂ，５ｃに背面パネル４１（床板４０）を取り付けるようにすると、限られた空間（各商品収容庫内）で背面パネル４１にダクトパネル４２を取り付ける必要がなく、効率的な組み立て作業が可能となる。
【実施例２】
【００４６】
つぎに、本発明の実施例２に係る自動販売機について説明する。本発明の実施例２にかかる自動販売機は、商品収容庫ごとに蒸発器を配設したものである。なお、図７は本発明の実施例２にかかる自動販売機を示す正面模式図、図８は図７に示した自動販売機の側断面である。
【００４７】
本体キャビネット５１は、複数の鋼板を適宜組み合わせることによって構成したもので、前面が開口した直方状の断熱筐体である。この本体キャビネット５１には、図８に示すように、前面に外扉５２と内扉５３とが設けてあり、その内部に、たとえば、二つの断熱仕切板５４により仕切られた三つの独立した商品収容庫５５ａ，５５ｂ，５５ｃが左右に並んだ態様で配設してある。より、詳細に説明すると、外扉５２は、本体キャビネット５１の前面開口を閉塞するものであり、内扉５３は、商品収容庫５５ａ，５５ｂ，５５ｃの前面を閉塞するものである。商品収容庫５５ａ，５５ｂ，５５ｃは、缶入り飲料やペットボトル入り飲料等の商品を所望の温度に保持した状態で収容するものである。
【００４８】
上記本体キャビネット５１の内部において商品収容庫の外部となる機械室５９には、圧縮機６０、凝縮器６１、膨張器６２、電磁弁６３が配設してあり、さらに、凝縮器６１の後方には、送風ファン６４が配設してある。
【００４９】
商品収容庫５５ａ，５５ｂ，５５ｃには、それぞれ、送風ユニット５６、商品収納ラック５７、搬出機構５８が設けてある。送風ユニット５６は、冷やされた空気、または温められた空気を循環させるものであって、通風ダクト８０、蒸発器８１、ヒータ８２、送風ファン８３、搬出シュータ８４を有している。
【００５０】
通風ダクト８０は、各商品収容庫５５ａ，５５ｂ，５５ｃの底壁をなす床板９０を有している。床板９０は、蒸発器８１、ヒータ８２、送風ファン８３を取り付ける部分であり、図９に示すように、断熱仕切板５４と本体キャビネット５１との間に隙間が空かないように、側部が上方に延在するように、折り曲げてある。また、床板９０の手前側端部は、搬出シュータ８４の手前側端部を取り付けるために、上方に延在するように、折り曲げてある。
【００５１】
さらに、床板９０の後縁から背面パネル９１が起立するように、背面パネル９１が床板９０と一体に設けてある。背面パネル９１は、各商品収容庫５５ａ，５５ｂ，５５ｃの背壁に沿って配設されるものである。背面パネル９１の下側側部は、手前側に延在するように折り曲げてあり、上側側部は、手前側に延在するように折り曲げた後、さらに、内側に延在するように折り曲げてある。
【００５２】
このように形成した背面パネル９１には、２本のネジにより、ダクトパネル９２が取り付けてある。ダクトパネル９２は、背面パネル９１と組み合わせることにより、通風ダクト８０を構成するものである（図１１参照）。ダクトパネル９２の上側側部は、背面パネル９１の上側側部を収容するように奥側に折り曲げてある。そして、このダクトパネル９２の上側端部は、開口９２ａしている。この開口９２ａは、各商品収容庫５５ａ，５５ｂ，５５ｃの空気が流入する部分となる。このように構成した通風ダクト８０は、奥行き寸法が２０ｍｍ以下で、幅寸法が１５０ｍｍ以上の細長い矩形形状の通気断面を有することになる。また、ダクトパネル９２は、奥側から手前側に向けて前下がり傾斜となるように折り曲げて、通気断面積を拡げた後、下方に延在させてある。この下方に延在した部分には、開口９２ｂが形成してある。この開口９２ｂは、送風ユニット５６に空気を供給する部分となる。さらに、前下がり傾斜となる部分のやや上方には、一対のシュータ取付スリット９２ｃが形成してある。シュータ取付スリット９２ｃは、矩形のスリットであり、搬出シュータ８４の奥側の一部が差し込み可能である。
【００５３】
このように構成した通風ダクト８０の床板９０には、奥側から手前側に、蒸発器８１、ヒータ８２、送風ファン８３が順番に取り付けてある。蒸発器８１は、機械室５９に配設した圧縮機６０、凝縮器６１、膨張器６２、電磁弁６３により冷凍サイクルを構成するものであり、ダクトパネル９２の開口９２ｂとの間に隙間が生じないように取り付けてある。
【００５４】
ヒータ８２は、商品収容庫５５ａ，５５ｂ，５５ｃに収容する商品を加熱（温蔵）する場合に稼働させるものであり、商品収容庫５５ａ，５５ｂ，５５ｃに収容する商品を冷却（冷蔵）する場合には稼働することはない。
【００５５】
送風ファン８３は、商品収容庫５５ａ，５５ｂ，５５ｃの庫内の空気を循環させるものであり、送風ファン８３が稼働すると、商品収納ラック５７、通風ダクト８０、蒸発器８１、ヒータ８２の順番に空気が循環することになる。
【００５６】
このように構成した送風ユニット５６の上部には、奥側から手間側に向けて漸次低くなるように傾斜した搬出シュータ８４が取り付けてある。より詳細に説明すると、ダクトパネル９２に形成したシュータ取付スリット９２ｃに搬出シュータ８４の奥側の一部を差し込むとともに、搬出シュータ８４の手前側を床板９０の手前側端部にネジ止めすることにより、搬出シュータ８４が取り付けてある。
【００５７】
搬出シュータ８４は、搬出機構５８から搬出された商品を外扉に設けた商品取出口５２ａに導くものであり、商品収納ラック５７に収納した商品に、加熱または冷却した空気を供給可能とする通気孔（図示せず）が形成してある。
【００５８】
商品収納ラック５７は、缶入り飲料やペットボトル入り飲料等の商品を横倒し姿勢とし、上下方向に沿って並ぶ態様で収納するものである。搬出機構５８は、商品収納ラック５７の下部に設けてあり、この商品収納ラック５７に収納された商品群のうち最下部にある商品を一つずつ搬出するものである。そして、搬出機構５８から搬出された商品は、上述した搬出シュータ８４上を転動し、外扉に設けた商品取出口に導かれる。
【００５９】
上述した自動販売機の送風ファン８３を稼働すると、蒸発器８１で冷やされた空気、あるいはヒータ８２で温められた空気は、商品収納ラック５７の下方部から通風ダクト８０の開口９２ａに向けて循環することになる。
【００６０】
このように構成した自動販売機の通風ダクト８０は、予め、背面パネル９１にダクトパネル９２を取り付けた後に、各商品収容庫５５ａ，５５ｂ，５５ｃに取り付ける。このように、予め、背面パネル９１にダクトパネル９２を取り付けた後に、商品収容庫５５ａ，５５ｂ，５５ｃに背面パネル９１（床板９０）を取り付けるようにすると、限られた空間（各商品収容庫内）で背面パネル９１にダクトパネル９２を取り付ける必要がなく、効率的な組み立て作業が可能となる。
【００６１】
実施例１および実施例２にかかる自動販売機によれば、断熱材が変形した場合であっても、通気断面積が増減することがなく、通風ダクト３０，８０の通気抵抗は維持される。したがって、実施例１および実施例２にかかる自動販売機は、想定した性能を継続して発揮することができる。
【００６２】
たとえば、図１２−１が本実施例の通風ダクトが断熱材に正常に取り付いた状態を示す側面図とすると、本体キャビネット１，５１の背壁をなす断熱材の変形により、図１２−２および図１２−３に示すように、断熱材と背面パネル４１，９１との間に隙間が生じても、通風ダクト３０，８０に隙間が生じたり、通風ダクト３０，８０の通気断面積が増減したりすることがない。さらに、上下方向において庫内側が凸となるように断熱材が変形した場合、上下方向において庫内側が凹となるように断熱材が変形した場合にも、図１２−４および図１２−５に示すように、通風ダクト３０，８０に隙間が生じたり、通風ダクト３０，８０の通気断面積が増減したりすることがない。
【００６３】
また、図１３−１が本実施例の通風ダクトが断熱材に正常に取り付いた状態を示す平面図とすると、本体キャビネット１，５１の背壁をなす断熱材の変形により、図１３−２に示すように、断熱材と背面パネルとの間に隙間が生じても、通風ダクト３０，８０に隙間が生じたり、通風ダクト３０，８０の通気断面積が増減したりすることがない。また、図１３−３に示すように、左右方向において庫内側が凸となるように断熱材が変形した場合、図１３−４に示すように、左右方向において庫内側が凹となるように断熱材が変形した場合にも、通風ダクト３０，８０に隙間が生じたり、通風ダクト３０，８０の通気断面積が増減したりすることがない。
【産業上の利用可能性】
【００６４】
以上のように、本発明にかかる自動販売機は、商品を冷蔵または温蔵する自動販売機に有用であり、特に、缶入り飲料、ペットボトル飲料等の商品を販売する自動販売機に適している。
【図面の簡単な説明】
【００６５】
【図１】本発明の実施例１にかかる自動販売機であって、外扉と内扉とを取り外した状態を示す自動販売機の正面図である。
【図２】図１に示した自動販売機の側断面図である。
【図３】図１に示した自動販売機の要部を示す図である。
【図４】床板を示す斜視図である。
【図５】ダクトパネルを示す斜視図である。
【図６】通風ダクトに送風ユニットを組み付けた状態を示す側面図である。
【図７】本発明の実施例２にかかる自動販売機を示す正面模式図である。
【図８】図７に示した自動販売機の側断面図である。
【図９】床板を示す斜視図である。
【図１０】ダクトパネルを示す斜視図である。
【図１１】通風ダクトに送風ユニットを取り付けた状態を示す側面図である。
【図１２−１】通風ダクトが断熱材に正常に取り付いた状態を示す側面図である。
【図１２−２】通風ダクトが断熱材に傾いて取り付いた状態を示す側面図である。
【図１２−３】通風ダクトが断熱材に傾いて取り付いた状態を示す側面図である。
【図１２−４】庫内側が凸となるように断熱材が変形した状態を示す側面図である。
【図１２−５】庫内側が凹となるように断熱材が変形した状態を示す側面図である
【図１３−１】通風ダクトが断熱材に正常に取り付いた状態を示す平面図である。
【図１３−２】通風ダクトが断熱材に傾いて取り付いた状態を示す平面図である。
【図１３−３】庫内側が凸となるように断熱材が変形した状態を示す平面図である。
【図１３−４】庫内側が凹となるように断熱材が変形した状態を示す平面図である。
【図１４−１】従来のダクトパネルが断熱材に正常に取り付いた状態を示す正面図である。
【図１４−２】従来のダクトパネルが断熱材に傾いて取り付いた状態を示す正面図である。
【図１５−１】従来のダクトパネルが断熱材に正常に取り付いた状態を示す側面図である。
【図１５−２】従来のダクトパネルの上下方向上側において断熱材との間に隙間が空いた状態を示す側面図である。
【図１５−３】従来のダクトパネルの上下方向下側において断熱材との間に隙間が空いた状態を示す側面図である。
【図１５−４】従来のダクトパネルの下縁と床板との間に隙間が空いた状態を示す側面図である。
【図１５−５】庫内側が凸となるように断熱材が変形した状態を示す側面図である。
【図１５−６】庫内側が凹となるように断熱材が変形した状態を示す側面図である。
【図１６−１】従来のダクトパネルが断熱材に正常に取り付いた状態を示す正面図である。
【図１６−２】従来のダクトパネルの側部において断熱材との間に隙間が空いた状態を示す正面図である。
【図１６−３】庫内側が凸となるように断熱材が変形した状態を示す平面図である。
【図１６−４】庫内側が凹となるように断熱材が変形した状態を示す平面図である。
【符号の説明】
【００６６】
５ａ，５ｂ，５ｃ    商品収容庫
６    送風ユニット
７    商品収納ラック
８    搬出機構
９    機械室
１０    スターリング冷凍機
２３    熱交換ダクト
２４    送気ダクト
３０    通風ダクト
３１    ヒータ
３２    送風ファン
３３    搬出シュータ
４０    床板
４０ａ，４０ｂ    通気口
４１    背面パネル
４２    ダクトパネル
４２ａ    開口
４２ｂ    開口
４２ｃ    シュータ取付スリット
４３    シャッターダクト
５５ａ，５５ｂ，５５ｃ    商品収容庫
５６    送風ユニット
５７    商品収納ラック
５８    搬出機構
５９    機械室
６０    圧縮機
６１    凝縮器
６２    膨張器
６３    電磁弁
６４    送風ファン
８０    通風ダクト
８１    蒸発器
８２    ヒータ
８３    送風ファン
８４    搬出シュータ
９０    床板
９１    背面パネル
９２    ダクトパネル
９２ａ    開口
９２ｂ    開口
９２ｃ    シュータ取付スリット
【図１】
2006338349.tif 000003
【図２】
2006338349.tif 000004
【図３】
2006338349.tif 000005
【図４】
2006338349.tif 000006
【図５】
2006338349.tif 000007
【図６】
2006338349.tif 000008
【図７】
2006338349.tif 000009
【図８】
2006338349.tif 000010
【図９】
2006338349.tif 000011
【図１０】
2006338349.tif 000012
【図１１】
2006338349.tif 000013
【図１２−１】
2006338349.tif 000014
【図１２−２】
2006338349.tif 000015
【図１２−３】
2006338349.tif 000016
【図１２−４】
2006338349.tif 000017
【図１２−５】
2006338349.tif 000018
【図１３−１】
2006338349.tif 000019
【図１３−２】
2006338349.tif 000020
【図１３−３】
2006338349.tif 000021
【図１３−４】
2006338349.tif 000022
【図１４−１】
2006338349.tif 000023
【図１４−２】
2006338349.tif 000024
【図１５−１】
2006338349.tif 000025
【図１５−２】
2006338349.tif 000026
【図１５−３】
2006338349.tif 000027
【図１５−４】
2006338349.tif 000028
【図１５−５】
2006338349.tif 000029
【図１５−６】
2006338349.tif 000030
【図１６−１】
2006338349.tif 000031
【図１６−２】
2006338349.tif 000032
【図１６−３】
2006338349.tif 000033
【図１６−４】
2006338349.tif 000034